(57)【特許請求の範囲】
【請求項１】
電子画像で蛍光撮影の画像取り込みが可能な眼科撮影装置において、
蛍光剤が投与されてからの時間経過を示すタイマーと、
前記タイマーの作動により蛍光撮影を識別する手段と、
蛍光撮影が識別されたあとに撮影されて取り込まれる眼底画像を白黒画像に変換する手段とを有し、
前記タイマーが示す時間が、前記白黒画像と合成されて画像記憶装置に記憶保存されることを特徴とする眼科撮影装置。
【発明の詳細な説明】
【０００１】
【発明の属する技術分野】
本発明は、眼科撮影装置、更に詳細には、電子画像で蛍光撮影の画像取り込みが可能な眼科撮影装置に関する。
【０００２】
【従来の技術】
この種の眼科撮影装置は、例えば眼底カメラなどであり、眼底カメラでは、眼底の画像がＣＣＤカメラによりカラー撮像され、画像処理されてモニタに表示されたり、あるいは外部記憶装置に画像が格納されて保存することが行われている。眼底の蛍光画像を撮像する場合は、カラー画像ではなく白黒画像として画像が表示されあるいは保存されている。
【０００３】
【発明が解決しようとする課題】
上述したような眼底カメラで、蛍光撮影をする際には、眼底画像が白黒画像として保存されるので、操作部または画像処理部に設けられたモード変換ボタンを操作することによりカラーモードから白黒モードへの切り換えを行う必要があった。そのため蛍光撮影から再びカラー撮影する時にカラーモードに戻すのを忘れてしまうと、カラー画像が撮れなかったり、あるいは蛍光撮影時に白黒モードに切り換えることを忘れている場合には、蛍光撮影の画像が通常のカラー画像として取り込まれて保存されてしまうので、このカラー画像をあとで白黒画像に変換する必要があり、蛍光撮影は多くの画像を連続して撮るため、変換作業の手間がかかるほかに、システムの記憶容量を大きくしなければならないという問題があった。
【０００４】
本発明は、このような問題を解決するためになされたもので、蛍光撮影時の眼底画像を確実に白黒画像で保存することが可能な眼科撮影装置を提供することをその課題とする。
【０００５】
【課題を解決するための手段】
本発明は、上記課題を解決するために、電子画像で蛍光撮影の画像取り込みが可能な眼科撮影装置において、蛍光剤が投与されてからの時間経過を示すタイマーと、前記タイマーの作動により蛍光撮影を識別する手段と、蛍光撮影が識別されたあとに撮影されて取り込まれる眼底画像を白黒画像に変換する手段とを有し、前記タイマーが示す時間が、前記白黒画像と合成されて画像記憶装置に記憶保存される構成を採用している。
【０００６】
このような構成では、蛍光撮影が識別されると、取り込まれた眼底画像が自動的に白黒画像に処理されるので、別に設けたモード変換ボタンなどでカラーモードから白黒モードに切り換える必要がなく、モード切り換え操作が不要になるとともに、切り換え忘れ、あるいは戻し忘れを防止することができる。
【０００７】
また、本発明では、蛍光剤が投与されてからの時間経過を示すタイマーを設け、前記タイマーの作動により蛍光撮影が識別され、タイマー作動中に取り込まれる眼底画像が白黒画像に変換される。このような構成では、蛍光撮影は、蛍光剤投与時に作動するタイマーにより識別することができ、タイマーが作動している間は眼底画像が白黒画像に変換されるので、別にモード変換ボタンなどを設けて白黒画像に変換することなく、自動的に眼底の白黒画像が得られる。
【０００８】
【発明の実施の形態】
以下図面に示す実施の形態に従って本発明を詳細に説明する。
【０００９】
図１は、本発明に係わる眼科撮影装置、特に眼底カメラを示す。観察用光源であるランプ１がミラー２の中心に配置され、このランプ１から発せられた光は、コンデンサーレンズ３、撮影用光源であるストロボ４、コンデンサーレンズ５を経て、全反射ミラー６によって反射され、続いてレンズ７、リング状照明を形成するためのリングスリット８、さらにリレーレンズ９、中心に穴の開いた穴あき全反射ミラー１０で反射されてから対物レンズ１１を経て、被検眼Ｅの瞳Ｅｐより眼底Ｅｒに入射される。ランプ１とストロボ４の点灯あるいは発光はＣＰＵ１２からの信号により行なうことができるように構成されている。
【００１０】
コンデンサーレンズ５の後方の光路には、蛍光撮影用のエキサイターフィルタ１３が挿脱可能に配置されている。エキサイターフィルタ１３は、４７０〜５１０ｎｍの波長を透過し、蛍光撮影の時にＣＰＵ１２の制御により光路内に挿入され、通常の眼底観察時あるいは眼底撮影の時には光路内から離脱されている。
【００１１】
眼底Ｅｒからの反射光は再び瞳Ｅｐから対物レンズ１１を介して受光され、穴あき全反射ミラー１０の穴を介して変倍レンズ１４、リレーレンズ１５を通過してリターンミラー１６に入射する。変倍レンズ１４、１４’は、ＣＰＵ１２からの信号で交換して光路に挿入でき、眼底の観察ないし撮影時の画角を変えることができる。また、リターンミラー１６は、観察時には、図示の位置に挿入され、また撮影時には光路から離脱するようにＣＰＵ１２により制御される。観察時には、眼底像がミラー１７並びにレンズ群１８を介して観察部１９に導かれ、検者により眼底が観察され、また撮影時には眼底像が電源２０により駆動されるＣＣＤカメラ２１に入射して眼底像が撮像できるようになる。
【００１２】
穴あき全反射ミラー１０の後方の光路には、バリアーフィルタ２２が配置され、このバリアーフィルタ２２は、５３０ｎｍ以下の波長をカットして５３０ｎｍ以上６５０ｎｍ以下の波長を透過するもので、シャッター２４を切った時にＣＰＵ１２の制御により光路内に挿入できるようになっているが、検者の操作によりあらかじめ挿入しておくこともできる。
【００１３】
ＣＣＤ２１で撮像された眼底像は、パソコンなどで構成される一点鎖線で示した画像処理装置３０の画像処理部３１にカラーのビデオ信号として入力され、画像処理された後Ｄ／Ａ変換器３３を介してモニター３４に表示される。また画像処理部３１で画像処理された眼底像はハードディスクなどの画像記憶装置３２に格納保持される。
【００１４】
更に、操作部２３に設けられた蛍光撮影ボタン（不図示）を操作したときにＣＰＵ１２から出力１２ａに信号が発生し、この信号はモード切り換え信号として画像処理部３１に入力される。モード切り換え信号が画像処理部３１に入力されると、画像処理部に取り込まれた画像が白黒画像に変換される。また、出力１２ａからの信号は同時にタイマー３０をオンにしてタイマー３０を作動させる。操作部２３の蛍光撮影ボタンは、蛍光剤を投与したときほぼ同時に操作されるので、タイマー３０は蛍光剤投与からの時間を計時することになる。タイマーが示す時間は、画像処理部３１で取り込まれ変換された白黒画像と合成されるので眼底画像と共にＤ／Ａ変換器３３を介してモニター３４に表示させることができる。
【００１５】
このような構成において、眼底観察時には、リターンミラー１６が図示の位置に挿入され、ランプ１により眼底Ｅrが照明される。照明された眼底部は観察部１９を介して観察でき、眼底部の観察あるいは装置のアライメントが行われる。
【００１６】
蛍光撮影が行われるときは、被検者に蛍光剤が投与されるとともに、操作部２３の蛍光撮影ボタンが操作される。この操作により、ＣＰＵ１２の出力１２ａから信号が出力され、これによりカラー処理から白黒処理にすることが画像処理部３１に通知される。また出力１２ａからの信号により同時にタイマー３５が作動して、蛍光剤投与からの時間が計時される。
【００１７】
そして、エキサイターフィルタ１３またはバリアーフィルタ２２を光路内に挿入して眼底部の観察やアライメントを行う。このようにして蛍光撮影準備が整うと、シャッター２４が作動され、リターンミラー１６が光路から離脱されるとともにＣＰＵ１２から信号がエキサイターフィルタ１３とバリアーフィルタ２２に送られて、未挿入のフィルターが光路に挿入される。またシャッター２４の作動によりＣＰＵ１２はトリガー信号を画像処理部３１に出力し、画像処理部３１は、ＣＣＤ２１からのビデオ信号を取り込む。また同時に、画像処理部３１はストロボ発光信号をＣＰＵ１２に出力し、それによりＣＰＵ１２はストロボ４を発光させるのでストロボ４が発光した時の眼底の像がＣＣＤ２１により撮像され、そのビデオ信号が画像処理部３１に取り込まれる。画像処理部３１はこの眼底画像を白黒信号に変換し、これが画像記憶装置３２に記憶保存されるとともに、Ｄ／Ａ変換器３３を介してモニター３４に表示される。
【００１８】
また、シャッター２４を切るごとに同様な動作が行なわれ、複数の眼底画像を蛍光撮影することができる。蛍光撮影を終了するときには、蛍光撮影ボタンをオフにする。これによりＣＰＵ１２の出力１２ａからはカラーモードに変換する信号が画像処理部３１に出力されるとともに、タイマー３０がオフになって計時を終了する。
【００１９】
本発明では、蛍光撮影ボタンを操作したときに、タイマーが作動するので、そのタイマー作動を蛍光撮影であることの判断（識別）基準としているが、蛍光撮影ボタンのオン信号そのものを蛍光撮影の識別手段とすることもでき、あるいはシャッターを操作したとき、あるいはバリアーフィルタが挿入されたときなどを検出して蛍光撮影の識別手段とすることもできる。
【００２０】
【発明の効果】
以上説明したように、本発明では、蛍光撮影が識別された場合、取り込まれた蛍光撮影の画像を自動的に白黒画像に変換した後に画像記憶部に保存させることができるので、操作部でのモード切り換えが不要となり、モード切り換えの忘れ、あるいは戻し忘れの危険がなくなり、効率的で確実な蛍光撮影が可能になる。
【００２１】
また多くの枚数の蛍光撮影を行なう場合、始めから画像情報の容量が少ない白黒画像に確実に変換されて保存されるので、画像記憶部の容量を少なくすることができる。
【図面の簡単な説明】
【図１】本発明の眼科撮影装置の構成を示した構成図である。
【符号の説明】
１  ランプ
４  ストロボ
１１  対物レンズ
１３  エキサイターフィルタ
２１  ＣＣＤ
２２  バリアーフィルタ
３１  画像処理部
３５  タイマー
【図１】
0004119027.tif 000002